(57)【要約】【課題】扉に簡単に取付可能なハンドル装置を提供する。【解決手段】扉１６の正面に位置するハンドル１３が取り付けられ、扉１６の配置孔１７に嵌め込まれるケーシング１１と、該ケーシング１１に設けられ、扉１６の正面で配置孔１７の縁部１７ａに当接するフランジ１２とを備えるハンドル装置１０において、ケーシング内に、該ケーシングの両対向する側壁１１ａ，１１ｂからそれぞれ外方へ突出可能な少なくとも一対の突起１８，１８と、該一対の突起に外方へ突出させるべく弾性力を付与するコイルスプリング１９とを設ける。【選択図】        図１
2004150142.tif 000002
【特許請求の範囲】
【請求項１】
扉の配置孔に配置されるハンドル装置であって、
前記扉の正面に位置するハンドルが取り付けられ、前記配置孔に嵌め込まれるケーシングと、該ケーシングに設けられ、前記扉の正面で前記配置孔の縁部に当接するフランジとを備えるハンドル装置において、
前記ケーシング内には、該ケーシングの両対向する側壁からそれぞれ外方へ突出可能な少なくとも一対の突起と、該一対の突起に前記外方へ突出させるべく弾性力を付与するばね部材とが設けられ、
前記一対の突起は、前記扉の背面側から、前記フランジ板と共に前記縁部を挟持することを特徴とするハンドル装置。
【請求項２】
前記ばね部材はコイルスプリングであり、前記一対の突起は、それぞれ、前記コイルスプリングの両端に当接していることを特徴とする請求項１に記載のハンドル装置。
【請求項３】
前記突起は、前記扉の厚さに対応して段差のある挟持面を有することを特徴とする請求項１に記載のハンドル装置。
【発明の詳細な説明】
【０００１】
【発明の属する技術分野】
本発明は、扉に取り付けられるハンドル装置に関し、特に、簡単に取付可能なハンドル装置に関する。
【０００２】
【従来の技術】
扉を開閉するために、ハンドル装置が用いられている。
従来では、このようなハンドル装置を扉の配置孔に取り付けるために、作業者が、先ず、ハンドル装置のケーシングを配置孔に嵌め込んで位置決めし、次に、このケーシング上に設けているネジ取付孔にネジを締め付ける。これにより、ハンドル装置が扉に取り付けられていた。
【０００３】
【発明が解決しようとする課題】
しかし、この取付作業では、ネジの締め付け作業が含まれるので、時間がかかる煩雑な作業となってしまう問題があった。
特に、点検口に配置され、扉を有する分電盤等の製造工場では、多数の分電盤等を出荷する前に、各扉毎にハンドル装置を取り付けるための煩雑な作業を行う必要があるので、出荷するまでに多大な時間が掛かってしまう問題があった。
【０００４】
【課題を解決するための手段】
本発明は、以上の点を解決するために、次の構成を採用する。
〈構成〉
本発明に係るハンドル装置は、扉の配置孔に配置されるハンドル装置であって、扉の正面に位置するハンドルが取り付けられ、配置孔に嵌め込まれるケーシングと、該ケーシングに設けられ、扉の正面で配置孔の縁部に当接するフランジとを備え、ケーシング内には、該ケーシングの両対向する側壁からそれぞれ外方へ突出可能な少なくとも一対の突起と、該一対の突起に外方へ突出させるべく弾性力を付与するばね部材とが設けられ、一対の突起は、扉の背面側から、フランジ板と共に配置孔の縁部を挟持することを特徴とする。
【０００５】
〈作用〉
本発明に係るハンドル装置では、ケーシングは、少なくとも一対の突起及びばね部材を収容している。この一対の突起は、それぞれ、ケーシングの両対向する側壁の例えば貫通孔から外方へ突出可能に配置され、ばね部材は、一対の突起にそれぞれ外方へ突出させるべく弾性力を付与する。
このハンドル装置を扉に取り付ける際には、ケーシングを扉の配置孔に嵌め込むと、突起は、配置孔の内端面に当接されてケーシング内へ一時的に後退するが、扉の背面側ではこの当接がなくなるので、ばね部材の弾性力によってケーシングの側壁から外方へ突出する。突出した突起は、扉の背面から、ケーシングのフランジと共に、配置孔の縁部を挟持することとなる。この挟持によって、ハンドル装置が扉に取り付けられる。
従って、本発明に係るハンドル装置によれば、ケーシングを扉の配置孔に嵌め込むだけで、ハンドル装置の取付作業を完成するので、従来の煩雑なネジ作業を不要とすることができる。その結果、扉に簡単に取付可能なハンドル装置を提供することができる。
【０００６】
ばね部材として、コイルスプリングを利用することができる。この場合、一対の突起は、それぞれ、コイルスプリングの両端に当接する。
【０００７】
また、突起は、扉の厚さに対応して段差のある挟持面を有することができる。これにより、厚さの異なる各扉に利用可能なハンドル装置を提供することができる。
【０００８】
【発明の実施の形態】
以下、本発明を図示の実施の形態について、詳細に説明する。
〈実施例〉
図１は、本発明に係る実施例のハンドル装置を示す横断面図である。
図２は、本発明に係る実施例のハンドル装置を示す正面図である。
図３は、本発明に係る実施例のハンドル装置を示す側面図である。
図４は、本発明に係る実施例のハンドル装置を示す背面図である。
【０００９】
先ず、図１の説明に先立って、図２及び図３を参照して実施例を説明する。
本発明に係るハンドル装置１０は、図２に示されているように、図示しない扉の配置孔に嵌め込まれるべきケーシング１１と、該ケーシング１１に設けられ、扉の正面側で扉と当接すべきフランジ１２と、ケーシング１１に前後に回動可能に取り付けられるハンドル１３と、ケーシング１１に収容され、ハンドル１３をロックするためのロック構造１４とを備えている。
【００１０】
ケーシング１１の左右両側壁１１ａ及び１１ｂには、図３に示されているように、二対の矩形形状の貫通孔１５，１５がそれぞれ形成されている。
【００１１】
次に、図１及び図４を参照して説明する。
図１及び図４は、ハンドル装置１０が扉１６の配置孔１７に取り付けられている状態を示している。
ケーシング１１内には、図１に示されているように、対となっている貫通孔１５，１５毎に対応して、一対の突起１８，１８と、コイルスプリング１９が設けられている。
【００１２】
コイルスプリング１９は、その両端１９ａ，１９ｂが一対の突起１８，１８の各軸部１８ａ，１８ａに装着され、一対の突起１８，１８に外方への弾性力を与えている。この弾性力によって、一対の突起１８は、ケーシング１１の外方へ移動され、それぞれ、図４に示されているように、貫通孔１５，１５を通して、側壁１１ａ及び１１ｂから突出する。
【００１３】
突起１８のストッパ１８ｃは、貫通孔１５の寸法より大きな寸法を有する矩形形状を有している。
これにより、突起１８の外方への抜け出しは、制限されている。
【００１４】
突起１８の本体部１８ｂは、貫通孔１５に突出及び後退可能に位置しており、彎曲端面を有している。
このような端面によって、突起１８は、手で押す図示方向Ａから押圧力を受ける時だけではなく、例えば取り付け作業の際配置孔１７の縁部１７ａに当接されて押圧力を受ける時でも、コイルスプリング１９を圧縮させながらケーシング１１内へ後退する。
【００１５】
〈実施例の動作〉
次に、ハンドル装置１０の動作を説明する。
ハンドル装置１０を扉１６に取り付けるために、突起１８が突出している状態で、ケーシング１１を扉１６の配置孔１７に嵌め込む。この嵌め込む動作に伴って、突起１８は、配置孔１７の縁部１７ａに当接される。この当接によって押圧力を受けるので、突起１８がコイルスプリング１９を圧縮させながらケーシング１１内へ後退する。
【００１６】
後退している突起１８が、この配置孔１７を通過すると、扉１６からの押圧が無くなるので、圧縮したコイルスプリング１９からの弾性力によって突出する。この突出によって、突起１８は、扉１６の背面から、フランジ１２と共に、配置孔１７の縁部１７ａを挟持する。この挟持によって、ハンドル装置１０は、図１及び図４に示されているように、扉１６に取り付けられる。
【００１７】
〈実施例の効果〉
本実施例において、突起１８が突出している状態でケーシング１１を配置孔１７に嵌め込むだけで、ハンドル装置１０を扉１６に取り付けることができるので、扉１６に簡単に取付可能なハンドル装置１０を提供することができる。
【００１８】
尚、突起１８に円滑な彎曲端面を設けなくてもよい。この場合、作業者が例えば突起１８を押し込み、ケーシング１１を嵌め込むことによって、同様に、ハンドル装置１０を扉１６に取り付けることができる。
【００１９】
〈変形例〉
図５は、本発明に係る変形例のハンドル装置を示す横断面図である。
図６は、本発明に係る変形例の突起を示す上面図である。
本実施例において、実施例におけると同様な構成に同一の符号を付する。
【００２０】
本発明に係るハンドル装置２０は、図５に示されているように、対となっている貫通孔１５、１５に対応して、ケーシング１１内に設けられている一対の突起２１，２１を備えている。
この一対の突起２１，２１は、実施例と同様に、ハンドル装置２０を扉１６に取り付けた状態では、コイルスプリング１９からの弾性力を受け、ケーシング１１の外方へ突出してフランジ１２と共に、扉１６を挟持する。
【００２１】
扉１６を挟持する突起２１は、実施例１における突起１８を変形して得られ、図６に示されているように、段差のある挟持面２２を有している。
挟持面２２の段差は、異なる扉の各厚さに対応して設けられる。
【００２２】
本変形例では、挟持面２２は、段差面２３、２４及び２５を含む。段差面２３は、図５及び図６に示されているように、比較的厚さの大きい扉１６を挟持する面であり、段差面２４は、図５及び図６中の仮想線に示されているように、例えば中間ぐらいの厚さを有する扉２６を挟持する面であり、段差面２５は、図５及び図６中の仮想線に示されているように、比較的厚さの小さい扉２７を挟持する面である。
【００２３】
このような挟持面２２によって、突起２１が、扉の厚さに合わせて選択的に突出することとなる。即ち、扉の厚さが小さい程、突起２１は、図６中の仮想線に示されているように、ケーシング１１から大きく突出する。
これにより、厚さが異なる種々の扉に簡単に取付可能なハンドル装置を提供することができる。
【００２４】
【発明の効果】
本発明に係るハンドル装置によれば、ケーシングを扉の配置孔に嵌め込むだけで、ハンドル装置の取付作業を完成するので、従来の煩雑なネジの締め付け作業を不要とすることができる。その結果、扉に簡単に取付可能なハンドル装置を提供することができる。
【図面の簡単な説明】
【図１】本発明に係る実施例のハンドル装置を示す横断面図である。
【図２】本発明に係る実施例のハンドル装置を示す正面図である。
【図３】本発明に係る実施例のハンドル装置を示す側面図である。
【図４】本発明に係る実施例のハンドル装置を示す背面図である。
【図５】本発明に係る変形例のハンドル装置を示す横断面図である。
【図６】本発明に係る変形例の突起を示す上面図である。
【符号の説明】
１０、２０  ハンドル装置
１１  ケーシング
１１ａ，１１ｂ  対向する両側壁
１２  フランジ
１３  ハンドル
１６  扉
１７  配置孔
１７ａ  配置孔の縁部
１８  突起
１９  コイルスプリング（ばね部材）
２２  挟持面
【図１】
2004150142.tif 000003
【図２】
2004150142.tif 000004
【図３】
2004150142.tif 000005
【図４】
2004150142.tif 000006
【図５】
2004150142.tif 000007
【図６】
2004150142.tif 000008